(57)【要約】【課題】経済性に優れ、省エネルギー化可能なミスト機能付き浴室暖房システムを提供する。【解決手段】吸い込み口から吹き出し口に向かって空気を搬送する送風部と、給湯器と接続管により接続されており、給湯器から供給される温水が循環される配管を有する熱交換部と、熱交換部の一面側に向かってミスト用湯を放散する湯噴出管とを備える浴室暖房機を有するミスト機能付き浴室暖房システムであって、熱交換部の配管は空気の搬送方向に対して複数の配管列を形成するよう配置されており、給湯器と熱交換部とを接続する接続管は、加湿暖房時には湯噴出管側に位置する第１配管列から湯噴出管側と反対側に位置する最終配管列に向かって温水を循環し、ドライ暖房時には最終配管列から第１配管列に向かって温水を循環するよう温水の循環経路を切り換える循環経路切換部を有するミスト機能付き浴室暖房システム。【選択図】図１
2008224112.tif 000002
【特許請求の範囲】
【請求項１】
給湯器と、浴室暖房機とを備えるミスト機能付き浴室暖房システムであって、
前記浴室暖房機は、吸い込み口から吹き出し口に向かって空気を搬送する送風部と、前記給湯器と接続管により接続されており、前記給湯器から供給される温水が循環される配管を有する熱交換部と、空気の搬送方向に対して前記熱交換部の上流側に位置し、前記熱交換部の一面側に向かってミスト用湯を放散する湯噴出管とを有し、
前記熱交換部の配管は、空気の搬送方向に対して複数の配管列を形成するよう配置されており、
前記給湯器と熱交換部とを接続する接続管は、加湿暖房時には、前記湯噴出管側に位置する第１配管列から前記湯噴出管側と反対側に位置する最終配管列に向かって温水を循環し、ドライ暖房時には、前記最終配管列から前記第１配管列に向かって温水を循環するよう前記熱交換部内の温水の循環経路を切り換える循環経路切換部を有するミスト機能付き浴室暖房システム。
【請求項２】
前記接続管は、前記給湯器の給湯往き配管と前記熱交換部の第１配管列とを接続する第１接続管と、前記給湯器の給湯戻り配管と前記熱交換部の最終配管列とを接続する第２接続管とを有し、
前記第１接続管と前記第２接続管は、第１バイパス管と第２バイパス管とで接続されており、
前記循環経路切換部は、前記第１バイパス管の接続部に設けられた第１切換弁と、前記第２バイパス管の接続部に設けられた第２切換弁とを有する請求項１に記載のミスト機能付き浴室暖房システム。
【請求項３】
前記第１切換弁及び前記第２切換弁は、三方弁を備える請求項２に記載のミスト機能付き浴室暖房システム。
【発明の詳細な説明】
【技術分野】
【０００１】
本発明は、ミスト機能付き浴室暖房システムに関する。
【背景技術】
【０００２】
従来、浴室暖房システムとしては、浴室内に温風のみを送風するドライ暖房機能とともに、ミストサウナ入浴を楽しめるようにするため、浴室内にミストを噴霧するミスト機能を備えたミスト機能付き浴室暖房システムが提案されている（例えば、特許文献１）。
この種の浴室暖房システムの浴室暖房機２００は、例えば、図８に示すように、給湯器から供給される温水を循環する熱交換部２１０と、熱交換部２１０の一面側にミスト用湯Ｍｗを放散する湯噴出管２２０と、吸い込み口２０１から吹き出し口２０２へ空気搬送路Ｒを形成し、発生したミストを一定方向に送風する送風部２３０等を有している。上記の熱交換部２１０は、図９に示すように、横方向に所定間隔を有して略平行に配置された多数枚の薄板２１１と、この薄板２１１を横方向に連結する円形金属パイプからなる配管２１２と、この配管２１２を支える左右一対の支持部材２１３，２１３等で構成されており、配管２１２は、１本のパイプを熱交換部２１０の上部から下部に向け連続して蛇行状に折り曲げ形成されている。これにより、加湿暖房時には、湯噴出管２２０からミスト用湯Ｍｗを熱交換部２１０に放散し、該ミスト用湯Ｍｗが配管２１２内を循環する温水と熱交換して蒸発し、ミストが発生する。そして、発生したミストを送風部２３０により形成された空気搬送路Ｒに乗せて吹出し口２０２から浴室内に噴霧する。また、ドライ暖房時には、ミスト用湯Ｍｗを熱交換部２１０に放散せず、熱交換部２１０の配管２１２内に温水を循環させ、搬送されてくる空気を熱交換部２１０で加熱し、この温風を空気搬送路Ｒに乗せて吹出し口２０２から浴室内に送風する。
【特許文献１】特開２００６−１３６号公報
【発明の開示】
【発明が解決しようとする課題】
【０００３】
ところで、上記のようなミスト機能付き浴室暖房システムは、浴室内にミストを噴霧するために、従来のミスト機能の付いていない浴室暖房システムと比べ、熱交換部において空気をより高温に加熱することが必要とされる。このため、熱交換部内の配管を屈曲させ、空気の搬送方向に対して配管列を複数形成することにより空気との接触面積を増大させた熱交換部が用いられる場合がある。浴室暖房システムにおいては、経済性及び省エネルギーの観点から熱交換部で効率よく熱交換する必要があるが、加湿暖房時はミスト用湯を蒸発させるのに対し、ドライ暖房時では空気を加熱するのみであるため熱交換の効率が異なっており、上記のような複数の配管列を有する熱交換部では接触面積を大きくした分、両者の熱交換の違いが顕著となる。従って、いずれの運転時にも効率よく熱交換することが望まれている。
【０００４】
本発明は、上記課題を解決するためになされたものであり、温水が循環される配管が、空気の搬送方向に対して複数の配管列を形成するよう配置された熱交換部を備えたミスト機能付き浴室暖房システムにおいて、加湿暖房時にも、ドライ暖房時にも効率よく熱交換を行うことができ、経済性に優れ、省エネルギー化可能なミスト機能付き浴室暖房システムを提供することを目的とする。
【課題を解決するための手段】
【０００５】
本発明は、給湯器と、浴室暖房機とを備えるミスト機能付き浴室暖房システムであって、
前記浴室暖房機は、吸い込み口から吹き出し口に向かって空気を搬送する送風部と、前記給湯器と接続管により接続されており、前記給湯器から供給される温水が循環される配管を有する熱交換部と、空気の搬送方向に対して前記熱交換部の上流側に位置し、前記熱交換部の一面側に向かってミスト用湯を放散する湯噴出管とを有し、
前記熱交換部の配管は、空気の搬送方向に対して複数の配管列を形成するよう配置されており、
前記給湯器と熱交換部とを接続する接続管は、加湿暖房時には、前記湯噴出管側に位置する第１配管列から前記湯噴出管側と反対側に位置する最終配管列に向かって温水を循環し、ドライ暖房時には、前記最終配管列から前記第１配管列に向かって温水を循環するよう前記熱交換部内の温水の循環経路を切り換える循環経路切換部を有するミスト機能付き浴室暖房システムである。
上記構成によれば、熱交換部の配管が空気の搬送方向に対して複数の配管列を有するよう形成されているため、熱交換部での空気との接触面積が増大し、空気をより高温に加熱することができる。また、加湿暖房時においては、熱交換部でミストを発生させるため湯噴出管からミスト用湯を熱交換部に放散する必要があるが、上記構成によれば、給湯器と熱交換部とを接続する接続管が熱交換部内の温水の循環経路を切り換える循環経路切換部を有しており、前記循環経路切換部によって、湯噴出管側に位置する第１配管列から湯噴出管側と反対側に位置する最終配管列に向かって温水が循環するよう温水の循環経路が切り換えられるため、空気搬送路の風上側の第１配管列が風下側の最終配管列よりも高温となる。このため、ミストを効率よく発生させることができる。そして、ドライ暖房時には、循環経路切換部により最終配管列から第１配管列に向かって温水を循環するよう熱交換部内の温水の循環経路が切り換えられるため、加湿暖房時の温水循環経路とは逆に、空気搬送路の風下側の最終配管列が風上側の第１配管列よりも高温となる。このため、搬送空気を効率よく加熱することができる。
【０００６】
上記接続管は、前記給湯器の給湯往き配管と前記熱交換部の第１配管列とを接続する第１接続管と、前記給湯器の給湯戻り配管と前記熱交換部の最終配管列とを接続する第２接続管とを有し、
前記第１接続管と前記第２接続管は、第１バイパス管と第２バイパス管とで接続されており、
前記循環経路切換部は、前記第１バイパス管の接続部に設けられた第１切換弁と、前記第２バイパス管の接続部に設けられた第２切換弁とを有することが好ましい。
上記構成によれば、第１切換弁と第２切換弁とを切り換えることにより、加湿暖房時には、熱交換部内を循環する温水は、給湯往き配管から第１接続管を流れ、風上側に位置する第１配管列に供給され、風下側に位置する最終配管列に流れる。そして、最終配管列から出た温水は、第２接続管を流れ、給湯戻り配管に戻る。また、ドライ暖房時には、熱交換部内を循環する温水は、給湯往き配管と接続された第１バイパス管及び第２接続管を介して最終配管列に供給され、風上側に位置する第１配管列に流れる。そして、第１配管列から出た温水は、第１接続管及び第２バイパス管を通り、給湯戻り配管に戻る。このため、加湿暖房時に、空気搬送路の風上側の第１配管列を風下側の最終配管列よりも高温とすることができ、ドライ暖房時に、空気搬送路の風下側の最終配管列を風上側の第１配管列よりも高温とすることができる。
【０００７】
上記第１切換弁及び第２切換弁は、三方弁を備えることが好ましい。上記構成によれば、第１切換弁及び第２切換弁が三方弁を備えているから、これら切換弁の開閉を制御することにより、熱交換部内の温水循環経路を容易に切り換えることができる。
【発明の効果】
【０００８】
本発明によれば、温水が循環される配管が、空気の搬送方向に対して複数の配管列を形成するよう配置された熱交換部を備えたミスト機能付き浴室暖房システムにおいて、加湿暖房時でも、ドライ暖房時でも効率よく熱交換を行うことができる。このため、経済性に優れ、省エネルギー化可能なミスト機能付き浴室暖房システムを提供することができる。
【発明を実施するための最良の形態】
【０００９】
図１は、本実施の形態のミスト機能付き浴室暖房システムを示す概略構成図であり、図２は、浴室暖房機の概略構成図であり、図３は、熱交換部の概略構成図である。図１に示すように、このミスト機能付き浴室暖房システム１は、給湯器２と浴室暖房機３とを備えており、浴室暖房機３は、熱交換部７と、熱交換部７にミスト用湯Ｍｗを放散する湯噴出管５と、発生したミストまたは温風を一定方向に搬送するために送風部である送風ファン４等を備えている。
【００１０】
図２に示すように、本体ケース６内で、熱交換部７は湯噴出管５からのミスト用湯Ｍｗを受けるために垂直方向に対し所定角度傾斜した状態で配置されている。また、ミスト用湯Ｍｗを放散する湯噴出管５は、熱交換部７の上方で、空気の搬送方向に対して熱交換部７よりも上流側に配置されている。これにより、熱交換部７の空気搬送路Ｒの上流側に位置する一面側に向かってミスト用湯Ｍｗが放散される。この湯噴出管５は、例えばステレスパイプ等の材質からなり、熱交換部７と対向する下面側には熱交換部７の一面側に向かって指向する複数の湯噴出孔５１を有している。さらに、熱交換部７の下端の延長線方向に湯噴出管５から放散されたミスト用湯Ｍｗを受け止めるためのドレンパン８が配置されている。
【００１１】
図２中、熱交換部７の左側方下部には、送風部である送風ファン４が配置されている。また、送風ファン４の下方近傍のグリル板には吹き出し口１０が設けられており、それと並列にグリル板に吸い込み口９が設けられている。これにより、送風ファン４を回転させると本体ケース６内に図中の一点鎖線で示すように、吸い込み口９−熱交換部７−吹き出し口１０を連通する空気搬送路Ｒが形成される。なお、送風ファン４を設ける位置は特に限定されず、例えば吸い込み口９側に送風ファン４が配置されていてもよい。
【００１２】
この熱交換部７は、図３に示すように、所定ピッチで並設された多数枚の薄板１１と、これら薄板１１間を横方向に蛇行して延設され、薄板１１を連結する配管１２を有している。そして、この実施の形態では、配管１２は熱交換部７の下方端部で折り返され、同様に横方向に蛇行して上方に向かって延設されている。このため、この熱交換部７は、空気の搬送方向に対して湯噴出管５側に位置する第１配管列１２１と、湯噴出管５側と反対側に位置する最終配管列１２２の２列の配管列を有している。これにより、空気との接触面積を増大させることができ、空気をより高温に加熱することができる。なお、配管１２は縦方向に蛇行して延設されてもよく、また浴室の大きさ等に合わせて３列以上の配管列としてもよい。
【００１３】
そして、図１に示すように、給湯器２は、温水加熱循環回路２１、給湯ポンプ２２、及びバーナ２３等を有しており、制御回路によってバーナ２３、給湯ポンプ２２等を制御することにより、所定温度の温水を熱交換部７に供給できるように構成されている。
【００１４】
図１に示すように、ミスト用湯Ｍｗを受け止めるドレンパン８は湯噴出管５とミスト用湯循環ポンプ５３及び戻り配管５２を介して接続されている。これにより、加湿暖房時には、湯噴出管５から放散されたミスト用湯Ｍｗがドレンパン８で回収され、回収されたミスト用湯Ｍｗは、ミスト用湯循環ポンプ５３で湯噴出管５に戻される。なお、ミスト用湯Ｍｗを所定温度まで加熱するために、さらにドレンパン８は、ヒータ、熱交換部７に温水を供給する給湯器、または他の給湯器等と接続されていてもよい。加湿暖房時では、給湯ポンプ２２を作動させることにより、給湯器２から熱交換部７に温水を供給し、熱交換部７内に温水を循環させるとともに、ミスト用湯循環ポンプ５３を作動させて湯噴出管５からミスト用湯Ｍｗを熱交換部７に放散することにより、熱交換部７でミストが発生する。そして、このミストが送風ファン４によって形成された搬送空気によって搬送され、浴室内に噴霧される。また、ドライ暖房時では、湯噴出管５からミスト用湯Ｍｗを放散せずに、給湯器２から熱交換部７に温水を供給し、熱交換部７内で温水を循環させることにより搬送される空気を加熱し、浴室内に温風が吹き出される。
【００１５】
上記のようなミスト機能付き浴室暖房システム１においては、加湿暖房時には、熱交換部７でミストを発生させるために、ミスト用湯Ｍｗが放散される風上側の第１配管列１２１を風下側の最終配管列１２２よりも高温とする温水循環経路が好ましいが、ミストを発生させないドライ暖房時には、このような温水循環経路では熱交換が悪くなり、暖房能力が低下する。このため、本実施の形態では、加湿暖房時には、湯噴出管５側に位置する第１配管列１２１から湯噴出管５側と反対側に位置する最終配管列１２２に向かって温水を循環し、ドライ暖房時には、最終配管列１２２から第１配管列１２１に向かって温水を循環するよう、給湯器２と熱交換部７とを接続する接続管１３に設けた循環経路切換部３０である第１切換弁３０１と第２切換弁３０２とで熱交換部７内の温水循環経路が切り換えられる。これにより、加湿暖房時には、給湯器２から供給される温水は第１配管列１２１から最終配管列１２２に向かって熱交換部７内を循環する。従って、ミスト用湯Ｍｗが最初に接触する第１配管列１２１が最も高温となり、最終配管列１２２に向かうほど熱交換により温水温度が低下する。このため、ミスト用湯Ｍｗが最初に接触する第１配管列１２１で効率よくミストを発生させることができる。また、ドライ暖房時には、給湯器２から供給される温水は、最終配管列１２２から第１配管列１２１に向かって熱交換部７内を循環する。従って、搬送空気が最初に接触する第１配管列１２１から最終配管列１２２に向かうほど熱交換部７内が高温となっているため、効率よく空気を加熱することができる。
【００１６】
例えば、図１に示すミスト機能付き浴室暖房システム１において、外気温２０℃下で、ドライ暖房時に、加湿暖房時と同様に第１配管列１２１側から８０℃の温水を流量３．５Ｌ／ｍｉｎで供給した場合、最終配管列１２２から出てくる温水の温度は６７．３℃である。これに対し、最終配管列１２２側から８０℃の温水を供給した場合、第１配管列１２１から出てくる温水の温度は６４．８℃である。従って、熱交換の能力は、前者では
（８０．０℃−６７．３℃）×３．５Ｌ／ｍｉｎ×６０ｍｉｎ／ｈ＝２６６７ｋｃａｌ／ｈ（３．１１ｋＷ）であり、後者では
（８０．０℃−６４．８℃）×３．５Ｌ／ｍｉｎ×６０ｍｉｎ／ｈ＝３１９２ｋｃａｌ／ｈ（３．７２ｋＷ）となる。このため、ドライ暖房時に最終配管列１２２から第１配管列１２１に向かって温水を循環することにより、熱交換の能力を２０％程度向上することができる。
【００１７】
本実施の形態においては、図１に示すように、上記接続管１３は、給湯往き配管３３と熱交換部７の第１配管列１２１との間を接続する第１接続管１３１と、給湯戻り配管３４と熱交換部７の最終配管列１２２との間を接続する第２接続管１３２とを備えている。また、第１接続管１３１と第２接続管１３２との間には、第１バイパス管３１と第２バイパス管３２とが接続されている。さらに、第１切換弁３０１は、第１バイパス管３１と第１接続管１３１との接続部に設けられており、第２切換弁３０２は、第２バイパス管３２と第２接続管１３２との接続部に設けられている。これにより、加湿暖房時には、第１切換弁３０１で第１接続管１３１側を開弁し、第２切換弁３０２で第２接続管１３２側を開弁することにより、熱交換部７内を循環する温水は、給湯往き配管３３から第１接続管１３１を介して第１配管列１２１に供給される。この供給された温水は、風上側に位置する第１配管列１２１から風下側に位置する最終配管列１２２に向かって流れ、第２接続管１３２を介して給湯戻り配管３４に戻る（ＦＬ１）。また、ドライ暖房時には、第１切換弁３０１で第１バイパス管３１側を開弁し、第２切換弁３０２で第２バイパス管３２側を開弁することにより、熱交換部７内を循環する温水は、給湯往き配管３３から第１バイパス管３１及び第２接続管１３２を介して最終配管列１２２に供給される。この供給された温水は、最終配管列１２２から第１配管列１２１に向かって流れ、第１接続管１３１及び第２バイパス管３２を介して給湯戻り配管３４に戻る（ＦＬ２）。これにより、加湿暖房時には、空気の搬送方向に対して風上側の第１配管列１２１を風下側の最終配管列１２２よりも高温とすることができ、ドライ暖房時には、空気の搬送方向に対して風下側の最終配管列１２２を風上側の第１配管列１２１よりも高温とすることができる。なお、上記第１切換弁３０１及び第２切換弁３０２は、給湯器２から熱交換部７への温水循環経路を変更できる弁構造を有していればよく、例えば、三方弁等を用いることができる。また、第１切換弁３０１及び第２切換弁３０２の開閉は、例えば、電磁弁等により行うことができる。
【００１８】
次に、本実施の形態のミスト機能付き浴室暖房システム１の加湿暖房運転及びドライ暖房運転の動作をフローチャートに基づいて説明する。図４は加湿暖房運転の動作フローの一例を示すフローチャートであり、図５はドライ暖房運転の動作フローの一例を示すフローチャートである。図４に示すように、まず運転モードが加湿暖房運転の場合は、リモコンの加湿暖房運転スイッチがオンされ、加湿暖房動作が開始される（Ｓ１）。この加湿暖房動作が開始されると、給湯器２が運転を開始する（Ｓ２）。
【００１９】
給湯器２が運転を開始すると、制御信号により、第１切換弁３０１及び第２切換弁３０２のそれぞれの第１接続管１３１側及び第２接続管１３２側が開弁される（Ｓ３）。そして、ドレンパン８にミスト用湯Ｍｗを給水するミスト用湯供給処理が実行される（Ｓ４）。このとき、ドレンパン８内に供給されるミスト用湯Ｍｗの水位が、フロートスイッチ等の水位検知手段３５（図１参照）により検知されて、所定水位になるまでミスト用湯Ｍｗがドレンパン８に供給される（Ｓ５）。また、このミスト用湯供給処理中には、送風ファン４は停止状態に維持されて、吹き出し口１０からの送風が禁止されている。
【００２０】
ミスト用湯供給処理（Ｓ４）により、所定水位までミスト用湯Ｍｗがドレンパン８に供給されると、制御信号により、温度センサで検知される熱交換部７内を循環する温水の温度が所定温度以上となるように、給湯器２から温水が循環される（Ｓ６）。このとき、Ｓ６では、まず制御回路により温水温度を設定するとともに、給湯ポンプ２２を作動させることにより、所定温度になるまで熱交換部７内に温水が循環される（Ｓ７）。これにより熱交換部７が加熱される。そして、温水が所定温度以上となると、ミスト用湯循環ポンプ５３を作動させることにより湯噴出管５から熱交換部７にミスト用湯Ｍｗの放散が開始される（Ｓ８）。そして、送風ファン４を回転させて、吸い込み口９から吹き出し口１０へ空気搬送路Ｒを形成することにより、ミストが浴室内に噴霧される（Ｓ９）。ミストが浴室内に噴霧されると、浴室内温度が温度センサにより検知され、この検知された浴室内温度を予め記憶させた基準温度と比較して、ミスト用湯循環ポンプ５３と、給湯ポンプ２２とをオン・オフ制御することにより、浴室内温度が所定温度に維持される（Ｓ１０）。上記制御は、加湿暖房運転スイッチがオフされるまで繰り返して行なわれる。使用者が、リモコンで加湿暖房運転スイッチをオフすると（Ｓ１１）、停止処理が行なわれる（Ｓ１２）。この停止処理（Ｓ１２）では、給湯ポンプ２２及びミスト用湯循環ポンプ５３を停止し、ドレンパン８からミスト用湯Ｍｗを排水し、制御信号により第１切換弁３０１及び第２切換弁３０２を閉弁し、送風ファン４を停止し、給湯器２の運転を停止する一連の動作が行なわれる。その後、一連の加湿暖房動作が終了する。
【００２１】
次に、ドライ暖房運転について説明する。図５に示すように、ドライ暖房運転の場合は、リモコンのドライ暖房運転スイッチがオンされ、ドライ暖房動作が開始する（Ｓ２１）。このドライ暖房動作が開始すると、給湯器２が運転を開始する（Ｓ２２）。
【００２２】
給湯器２が運転を開始すると、制御信号により、第１切換弁３０１及び第２切換弁３０２のそれぞれの第１バイパス管３１側及び第２バイパス管３２側が開弁される（Ｓ２３）。そして、ドレンパン８にミスト用湯Ｍｗを給水するミスト用湯供給処理を行うことなく、給湯器２から温水が循環される（Ｓ２４）。このとき、Ｓ２４は、前述のＳ６と同様に、まず制御回路により温水温度を設定するとともに、給湯ポンプ２２を作動させることにより、所定温度になるまで熱交換部７内に温水が循環される（Ｓ２５）。これにより熱交換部７が加熱される。そして、温水が所定温度以上となると、送風ファン４を回転させて吸い込み口９から吹き出し口１０へ空気搬送路Ｒを形成することにより、温風が浴室内に送風される（Ｓ２６）。温風が浴室内に送風されると、浴室内温度が温度センサにより検知され、この検知された浴室内温度を予め記憶させた基準温度と比較して、給湯ポンプ２２をオン・オフ制御することにより、浴室内温度が所定温度に維持される（Ｓ２７）。上記制御は、ドライ暖房運転スイッチがオフされるまで繰り返して行なわれる。使用者が、リモコンでドライ暖房運転スイッチをオフすると（Ｓ２８）、停止処理が行なわれる（Ｓ２９）。この停止処理では、給湯ポンプ２２を停止し、制御信号により第１切換弁３０１及び第２切換弁３０２を閉弁し、送風ファン４を停止し、給湯器２の運転を停止する一連の動作が行なわれる。その後、一連のドライ暖房動作が終了する。
【００２３】
（その他の実施形態）
（１）上記実施の形態では、循環経路切換部３０である第１切換弁３０１及び第２切換弁３０２は、給湯器２と浴室暖房機３との間に配置されているが、給湯器２と熱交換部７とを接続する接続管に配置されていれば、特にその位置は限定されない。例えば、循環経路切換部３０は、給湯器２内に配置されていてもよいし、浴室暖房機３内に配置されていてもよい。
【００２４】
（２）上記実施の形態では、第１切換弁３０１の第１バイパス管３１との接続部は第１接続管１３１側に、第２切換弁３０２と第２バイパス管３２との接続部は第２接続管１３２側にそれぞれ配置されているが、第１切換弁３０１と第２切換弁３０２とにより温水の循環経路を切り換え可能な位置に切換弁が接続されていれば、特にその位置は限定されない。例えば、図６の部分概略構成図に示すように、第１バイパス管３１及び第２バイパス管３２と第１接続管１３１とのそれぞれの接続部に第１切換弁３０１及び第２切換弁３０２が設けられてもよい。また、切換弁は、第１接続管１３１、第２接続管１３２、第１バイパス管３１、及び第２バイパス管３２のそれぞれに設けられてもよい。
【００２５】
（３）上記実施の形態では、単一の熱交換器内に第１配管列１２１と最終配管列１２２とが連続して延設された形態について説明されたが、必ずしも第１配管列１２１と最終配管列１２２が単一の熱交換器内で連設して設けられている必要はない。例えば、図７に示すように、熱交換部７は、単一または複数の配管列を有する熱交換器が複数並設されて構成されていてもよい。この場合も上記実施の形態と同様に、湯噴出管５側に位置する熱交換器７１の配管列を第１配管列１２１とし、湯噴出管５側と反対側に位置する熱交換器７２の配管列を最終配管列１２２として、熱交換部７内で温水を循環することにより、同様の効果を得ることができる。
【００２６】
（４）上記実施の形態では、熱交換部７としてミストを発生させる熱交換部７のみを設けた形態について説明されたが、ミストを発生させる熱交換部７に搬送される空気を予め暖めるために風上側に他の熱交換部を配置してもよい。例えば、吸い込み口９側に暖気用熱交換部をさらに配置してもよい。このような暖気用熱交換部を配置することにより、加湿暖房時及びドライ暖房時の熱交換部７での熱交換の効率をさらに改善することができる。なお、この場合、暖気用熱交換部を循環する温水循環系は、ミストを発生させる熱交換部７を循環する温水循環系と連続させてもよいし、異なる温水循環系としてもよい。
【００２７】
（５）上記実施の形態では、ミスト用湯Ｍｗはドレンパン８から直接湯噴出管５に供給されているが、ミスト用湯Ｍｗが所定温度以上になるまでミスト用湯Ｍｗをドレンパン８と給湯器との間で循環させ、ミスト用湯Ｍｗが所定温度以上となった後、湯噴出管５からミスト用湯Ｍｗが放散されるように、ドレンパン８と戻り配管５２との間に切換弁が配置されてもよい。
【図面の簡単な説明】
【００２８】
【図１】本発明の実施の形態に係るミスト機能付き浴室暖房システムを示す概略構成図である。
【図２】本発明の実施の形態に係る浴室暖房機の概略構成図である。
【図３】本発明の実施の形態に係る熱交換部の概略構成図である。
【図４】本発明の実施の形態に係るミスト機能付き浴室暖房システムの加湿暖房運転における動作フローの一例を示すフローチャートである。
【図５】本発明の実施の形態に係るミスト機能付き浴室暖房システムのドライ暖房運転における動作フローの一例を示すフローチャートである。
【図６】本発明の実施の形態に係る循環経路切換部の他の一例を示す部分概略構成図である。
【図７】本発明の実施の形態に係る浴室暖房機の他の一例を示す概略構成図である。
【図８】従来の浴室暖房機の概略構成図である。
【図９】従来の熱交換部の概略構成図である。
【符号の説明】
【００２９】
１  ミスト機能付き浴室暖房システム
２  給湯器
３  浴室暖房機
４  送風ファン（送風部）
５  湯噴出管
５１  湯噴出孔
５２  戻り配管
５３  ミスト用湯循環ポンプ
６  本体ケース
７  熱交換部
８  ドレンパン
９  吸い込み口
１０  吹き出し口
１１  薄板
１２  配管
１２１  第１配管列
１２２  最終配管列
１３  接続管
１３１  第１接続管
１３２  第２接続管
２１  温水加熱循環回路
２２  給湯ポンプ
２３  バーナ
３０  循環経路切換部
３０１  第１切換弁
３０２  第２切換弁
３１  第１バイパス管
３２  第２バイパス管
３３  給湯往き配管
３４  給湯戻り配管
３５  水位検知手段
Ｍｗ  ミスト用湯
Ｒ  空気搬送路
【図１】
2008224112.tif 000003
【図２】
2008224112.tif 000004
【図３】
2008224112.tif 000005
【図４】
2008224112.tif 000006
【図５】
2008224112.tif 000007
【図６】
2008224112.tif 000008
【図７】
2008224112.tif 000009
【図８】
2008224112.tif 000010
【図９】
2008224112.tif 000011